(57)【要約】【課題】異なる機能を組み合わせた、ペット用リード紐の提供。【解決手段】本発明のペット用リード紐は、リード紐と、締結部材と、連結部材を含み、前記リード紐は、リード紐前端部とリード紐後端部を含み、前記締結部材は、前記リード紐前端部と前記リード紐後端部の間に設置され、そのうち、前記締結部材は前記リード紐後端部より前記リード紐前端部に近く、前記連結部材は前記リード紐前端部に連結され、前記連結部材は前記締結部材に固定され、ペットに装着する固定カラーリングを形成するために用いられる。【選択図】図５
2017086075.tif 000002
【特許請求の範囲】
【請求項１】
ペットに適用するペット用リード紐であって、前記ペット用リード紐が、リード紐と、締結部材と、連結部材を含み、
前記リード紐が、リード紐前端部とリード紐後端部を含み、
前記締結部材が、前記リード紐前端部と前記リード紐後端部の間に設置され、そのうち、前記締結部材は前記リード紐後端部より前記リード紐前端部に近く、
前記連結部材が、前記リード紐前端部に連結され、
そのうち、前記連結部材が前記締結部材に固定され、ペットに装着する固定カラーリングを形成するために用いられることを特徴とする、ペット用リード紐。
【請求項２】
前記連結部材が、前記リード紐に可動的に連結されて、ペットに装着する未固定カラーリングを形成するためにも用いられることを特徴とする、請求項１に記載のペット用リード紐。
【請求項３】
さらに、前記リード紐前端部と前記リード紐後端部の間に設置されたサイズ調整部材を含むことを特徴とする、請求項２に記載のペット用リード紐。
【請求項４】
前記連結部材がトリガーフックを備え、前記締結部材がループを備え、そのうち、前記トリガーフックが前記ループに固定するために用いられることを特徴とする、請求項３に記載のペット用リード紐。
【請求項５】
前記締結部材が、前記サイズ調整部材に連結されたことを特徴とする、請求項４に記載のペット用リード紐。
【請求項６】
前記締結部材が、前記サイズ調整部材に連結されたことを特徴とする、請求項３に記載のペット用リード紐。
【請求項７】
前記連結部材がさらにトリガーフックを含み、前記締結部材がさらにループを含み、そのうち、前記トリガーフックが前記ループに固定するために用いられることを特徴とする、請求項６に記載のペット用リード紐。
【請求項８】
前記サイズ調整部材が、前記リード紐を第１部分と第２部分に分けることを特徴とする、請求項３に記載のペット用リード紐。
【請求項９】
前記第１部分が、前記サイズ調整部材と前記連結部材の間であることを特徴とする、請求項８に記載のペット用リード紐。
【請求項１０】
前記第２部分が、前記サイズ調整部材と前記リード紐後端部の間であることを特徴とする、請求項９に記載のペット用リード紐。
【請求項１１】
前記連結部材が、前記締結部材に固定するため、または前記リード紐の前記第１部分または前記第２部分に可動的に連結するために用いられることを特徴とする、請求項１０に記載のペット用リード紐。
【請求項１２】
前記連結部材が前記第１部分に可動的に連結されているとき、前記サイズ調整部材が前記未固定カラーリングの最大サイズを制限することを特徴とする、請求項１１に記載のペット用リード紐。
【請求項１３】
前記連結部材が前記第２部分に可動的に連結されているとき、前記サイズ調整部材が前記未固定カラーリングの最小サイズを制限することを特徴とする、請求項１２に記載のペット用リード紐。
【請求項１４】
前記連結部材がさらにトリガーフックを含み、前記締結部材がさらにループを含み、そのうち、前記トリガーフックが前記ループに固定するために用いられることを特徴とする、請求項１３に記載のペット用リード紐。
【請求項１５】
前記締結部材が、前記サイズ調整部材に連結されたことを特徴とする、請求項１４に記載のペット用リード紐。
【発明の詳細な説明】
【技術分野】
【０００１】
本発明はペット用リード紐に関し、特に、本発明は安定したサイズで首輪を形成する、外部の首輪に取り付ける、最小サイズを有する摺動自在な首輪を形成する、ペットを適切にコントロールできる別の摺動自在な首輪を形成するなど、異なる機能を組み合わせた、ペット用リード紐に関する。
【背景技術】
【０００２】
現代社会では多くの人々がペットを飼育しており、人気のペットの１つが犬である。犬は外出して運動させ、健康を維持する必要があるため、犬の飼い主は頻繁に犬を散歩させなければならない。犬がいなくなったり、危険を引き起こしたり（道路に走っていき、自動車事故を引き起こすなど）することがないように、飼い主は通常ペット用リード紐を使用して犬をコントロールする。ペット用リード紐は一端が犬の首を囲む首輪に固定され、他端を飼い主が持つ。この装備によって犬は飼い主の近くに保持され、飼い主のコントロールから脱出したり、いなくなったりすることがない。
【０００３】
犬にはそれぞれ独自の性格と体型があるため、犬と飼い主の要求を満たすべく、メーカーはさまざまな種類のペット用リード紐を製造している。例えば、図１に示すように、先行技術である従来型のペット用リード紐５００は、外部首輪６００に結合させるためのフックトリガー５１０を備え、前記外部首輪６００は前記フックトリガー５１０を固定するためのリング６１０を備えている。飼い主が犬４００を散歩させたいときは、飼い主が前記フックトリガー５１０を前記リング６１０に簡単に取り付けて、従来型のペット用リード紐５００と前記外部首輪６００を結合することができる。
【０００４】
さらに、図２に示すように、先行技術であるブリティッシュスリップリードタイプのペット用リード紐７００は、リード紐７１０と、前記リード紐７１０に移動可能に連結されたスリップノット７２０を備えている。前記スリップノット７２０と前記リード紐７１０が首輪７３０を形成し、前記首輪７３０の大きさは、前記リード紐７１０に沿った前記スリップノット７２０の移動に基づいて変えることができる。前記首輪７３０は犬の首に固定するために用いられ、犬が大きく動くと前記スリップノット７２０が締まって、前記首輪７３０の大きさがより小さくなるため、このブリティッシュスリップリードタイプのペット用リード紐７００により、飼い主は犬をよりコントロールすることができる。類似の構造が米国特許第７０６６１１３Ｂ２号の図１に開示されている。
【０００５】
さらに、図３に示すように、先行技術であるセミスリップリードタイプのペット用リード紐８００は、リード紐８１０と、前記リード紐８１０に移動可能に連結されたスリップノット８２０と、前記リード紐８１０に設置されたサイズ調整バックル８４０を備えている。前記スリップノット８２０と前記リード紐８１０が首輪８３０を形成し、前記首輪８３０の大きさは、前記リード紐８１０に沿った前記スリップノット８２０の移動に基づいて変えることができ、前記首輪８３０が最小サイズを有することができるように、前記サイズ調整バックル８４０が前記スリップノット８２０の移動を制限する。類似の構造が米国特許第４０１９４６３号の図６に開示されている。
【０００６】
さらに、図４ａから図４ｃに示すように、マーチンゲールタイプのペット用リード紐９００は、カラーベルト９１０と、サイズ調整ベルト９２０と、リード紐９４０を備えている。前記カラーベルト９１０と前記サイズ調整ベルト９２０が首輪９３０を形成する。前記リード紐９４０は前記サイズ調整ベルト９２０に連結される。前記サイズ調整ベルト９２０は、前記カラーベルト９１０の２端に固定され、犬４００が引っ張ると、前記リード紐９４０が前記サイズ調整ベルト９２０を引き、前記サイズ調整ベルト９２０が締まり、前記首輪９３０の大きさがより小さくなって、飼い主は犬４００をよりコントロールすることができる。
【０００７】
異なるタイプのリード紐にはそれぞれ独特の機能があるため、これら独特の機能を使用して異なる状況におけるさまざまな要件を満たすために、飼い主は各種のリード紐を用意しておく必要がある。例えば、飼い主が図１に示すような従来型のペット用リード紐５００のみを所有している場合、この飼い主は首輪の大きさをすぐに変更する機能を使用することはできず、飼い主が首輪の大きさをすぐに変更する機能を使用するには、ブリティッシュスリップリードタイプのペット用リード紐７００、セミスリップリードタイプのペット用リード紐８００、またはマーチンゲールタイプのペット用リード紐９００を購入する必要がある。別の例では、別の飼い主がブリティッシュスリップリードタイプのペット用リード紐７００のみを所有している場合、外部首輪６００を取り付ける機能を使用することができず、飼い主が外部首輪６００を取り付ける機能を使用するには、従来型のペット用リード紐５００を購入する必要がある。しかしながら、異なる要件に対応するために異なる独特の機能を備えた各種のリード紐を用意するには、お金がかかり、リード紐が空間を占用してしまう。このため、これら異なる独特の機能を組み合わせて統合した新しいペット用リード紐を提供する必要がある。
【先行技術文献】
【特許文献】
【０００８】
【特許文献１】米国特許第７０６６１１３Ｂ２号明細書
【特許文献２】米国特許第４０１９４６３号明細書
【発明の概要】
【発明が解決しようとする課題】
【０００９】
本発明の目的は、安定したサイズで首輪を形成する、外部の首輪に取り付ける、最小サイズを有する摺動自在な首輪を形成する、ペットを適切にコントロールできる別の摺動自在な首輪を形成するなど、異なる機能を組み合わせた、ペット用リード紐を提供することにある。
【課題を解決するための手段】
【００１０】
上述の目的を達するため、本発明のペット用リード紐は、ペットに使用され、前記ペット用リード紐は、リード紐と、締結部材と、連結部材を含み、前記リード紐は、リード紐前端部とリード紐後端部を含み、前記締結部材は、前記リード紐前端部と前記リード紐後端部の間に設置され、そのうち、前記締結部材は前記リード紐後端部より前記リード紐前端部に近く、前記連結部材は前記リード紐前端部に連結され、前記連結部材は前記締結部材に固定され、ペットに装着する固定カラーリングを形成するために用いられる。
【００１１】
本発明の一実施態様によれば、前記連結部材は前記リード紐に可動的に連結され、ペットに装着する未固定カラーリングを形成するためにも用いられる。
【００１２】
本発明の一実施態様によれば、前記ペット用リード紐はさらに、前記リード紐前端部と前記リード紐後端部の間に設置されたサイズ調整部材を含む。
【００１３】
本発明の一実施態様によれば、前記連結部材はトリガーフックを備え、前記締結部材はループを備え、前記トリガーフックは前記ループに固定するために用いられる。
【００１４】
本発明の一実施態様によれば、前記締結部材は前記サイズ調整部材に連結される。
【００１５】
本発明の一実施態様によれば、前記リード紐は前記サイズ調整部材によって第１部分と第２部分に分けられる。
【００１６】
本発明の一実施態様によれば、前記第１部分は前記サイズ調整部材と前記連結部材の間である。
【００１７】
本発明の一実施態様によれば、前記第２部分は前記サイズ調整部材と前記リード紐後端部の間である。
【００１８】
本発明の一実施態様によれば、前記連結部材は前記締結部材に固定するため、または前記リード紐の前記第１部分または前記第２部分に可動的に連結するために用いられる。
【００１９】
本発明の一実施態様によれば、前記連結部材が前記第１部分に可動的に連結されているとき、前記サイズ調整部材によって前記未固定カラーリングの最大サイズが制限される。
【００２０】
本発明の一実施態様によれば、前記連結部材が前記第２部分に可動的に連結されているとき、前記サイズ調整部材によって前記未固定カラーリングの最小サイズが制限される。
【図面の簡単な説明】
【００２１】
【図１】先行技術の従来型ペット用リード紐を示す概略図である。
【図２】先行技術のブリティッシュスリップリードタイプのペット用リード紐を示す概略図である。
【図３】先行技術のセミスリップリードタイプのペット用リード紐を示す概略図である。
【図４】先行技術のマーチンゲールタイプのペット用リード紐を示す概略図である。
【図４ａ】先行技術のマーチンゲールタイプのペット用リード紐を締めた状態を示す概略図である。
【図４ｂ】先行技術のマーチンゲールタイプのペット用リード紐と犬を示す概略図である。
【図５】本発明のペット用リード紐の一実施態様を示す概略図である。
【図６】本発明のペット用リード紐の一実施態様の連結部材が締結部材に固定された状態を示す概略図である。
【図７】本発明のペット用リード紐の一実施態様をペットに適用した状態を示す概略図である。
【図８】本発明のペット用リード紐の一実施態様の連結部材が第１部分に可動的に連結された状態を示す概略図である。
【図９】本発明のペット用リード紐の一実施態様の連結部材が第２部分に可動的に連結された状態を示す概略図である。
【図１０】本発明のペット用リード紐の一実施態様のトリガーフックが外部首輪に固定された状態を示す概略図である。
【発明を実施するための形態】
【００２２】
本発明のこれらおよびその他の目的と利点が、本発明のいくつかの実施態様を開示する添付図面の以下の説明から明白になるであろう。図面は、本発明の定義としてではなく、例示目的のみに使用されることが理解されるべきである。
【００２３】
図５から図１０に、本発明ペット用リード紐の一実施態様を示す。図５は本発明のペット用リード紐の一実施態様を示す概略図である。図６は本発明のペット用リード紐の一実施態様の連結部材が締結部材に固定された状態を示す概略図である。図７は本発明のペット用リード紐の一実施態様をペットに適用した状態を示す概略図である。図８は本発明のペット用リード紐の一実施態様の連結部材が第１部分に可動的に連結された状態を示す概略図である。図９は本発明のペット用リード紐の一実施態様の連結部材が第２部分に可動的に連結された状態を示す概略図である。図１０は本発明のペット用リード紐の一実施態様のトリガーフックが外部首輪に固定された状態を示す概略図である。
【００２４】
図５と図７に示すように、本発明の一実施態様において、ペット用リード紐１はペット３００に適用され、前記ペット３００は犬、猫、うさぎ、または別の種類の動物とすることができる。前記ペット用リード紐１は、リード紐１０、サイズ調整部材２０、連結部材３０、締結部材６０を含む。
【００２５】
図５から図７に示すように、本発明の一実施態様において、前記リード紐１０は、リード紐前端部１１とリード紐後端部１２を含む。
【００２６】
前記連結部材３０は前記リード紐前端部１１に連結され、前記連結部材３０は前記締結部材６０に固定してペット３００に装着する固定カラーリング７０を形成するために用いられ、また前記連結部材３０は前記リード紐１０に可動的に連結してペット３００に装着する未固定カラーリング７５、７５ａ（図８と図９参照）を形成するためにも用いられる。図６、図８と図１０に示すように、前記連結部材３０はトリガーフック３１を含み、前記トリガーフック３１は前記締結部材６０に固定するため、または前記リード紐１０に可動的に連結するため、あるいは外部首輪９０に連結するために用いられる。前記トリガーフック３１はループとゲートを備える。使用者が前記締結部材６０に固定するために前記トリガーフック３１を使用したい場合、使用者はゲートを開き、前記締結部材６０を前記トリガーフック３１のループに入れてからゲートを閉じ、前記トリガーフック３１のループとゲートに閉じたループ構造を形成させて、前記締結部材６０が閉じたループ構造内に固定されるようにする。同様に、使用者が前記リード紐１０に可動的に連結するために前記トリガーフック３１を使用したい場合、使用者はゲートを開いて前記リード紐１０を前記トリガーフック３１のループに入れてからゲートを閉じ、前記トリガーフック３１のループとゲートに閉じたループ構造を形成させて、前記リード紐１０が閉じたループ構造内に配置されるようにし、前記トリガーフック３１と前記リード紐１０の可動的な連結が完成される。しかしながら、前記トリガーフック３１の構造は先行技術においてすでに開示されているため、ここでは説明を省略する。さらに、前記トリガーフック３１の構造は、上述の説明に限定されず、締結機能を備えた別の構造に変更してもよい。
【００２７】
前記サイズ調整部材２０は、前記リード紐前端部１１と前記リード紐後端部１２の間に設置され、前記サイズ調整部材２０は前記リード紐１０に沿って移動することができる。前記サイズ調整部材２０によって前記リード紐１０は第１部分１３と第２部分１４に分けられ、そのうち、前記第１部分１３は前記サイズ調整部材２０と前記連結部材３０の間であり、前記第２部分１４は前記サイズ調整部材２０と前記リード紐後端部１２の間である。前記サイズ調整部材２０の移動によって、 前記第１部分１３と前記第２部分１４の長さを変化させることができる。
【００２８】
前記締結部材６０は前記サイズ調整部材２０に連結され、前記締結部材６０は前記リード紐前端部１１と前記リード紐後端部１２の間に設置されて、前記締結部材６０を前記サイズ調整部材２０とともに移動させることができる。しかしながら、前記締結部材６０は前記サイズ調整部材２０に連結されることに限られず、前記サイズ調整部材２０と前記締結部材６０は分離してもよい。前記締結部材６０は、前記リード紐後端部１２よりも前記リード紐前端部１１に近い。図５に示すように、前記締結部材６０は前記サイズ調整部材２０の一端に、前記リード紐前端部１１側に連結されているが、本発明はこの設計に限定されず、前記締結部材６０は前記サイズ調整部材２０の他端に、前記リード紐後端部１２側に連結してもよい。前記締結部材６０は前記トリガーフック３１を固定するためのループ６１を備えている。前記トリガーフック３１が前記締結部材６０の前記ループ６１に固定されたとき、前記リード紐１０、前記トリガーフック３１、前記締結部材６０が固定カラーリング７０を形成する。前記固定カラーリング７０は、前記ペット３００に装着するために使用される。前記リード紐１０上における前記サイズ調整部材２０の移動によって、前記サイズ調整部材２０、前記締結部材６０、前記トリガーフック３１間の長さを変化させることができ、それにより前記ペット３００に合わせて、その大きさに関わらず、前記固定カラーリング７０のサイズを変化させることができる。しかしながら、カラーリングの形成方法は上述の適用に限定されない。図８に示すように、前記トリガーフック３１は、前記リード紐１０の前記第１部分１３に可動的に連結して、未固定カラーリング７５を形成してもよく、前記トリガーフック３１は前記第１部分１３でＡの方向に沿って摺動し、前記未固定カラーリング７５のサイズを調整することができる。前記サイズ調整部材２０は、前記未固定カラーリング７５の最大サイズを制限するために前記トリガーフック３１の摺動を制限し、前記未固定カラーリング７５から前記ペット３００が離脱できるほど前記未固定カラーリング７５が大きくならないようにすることができる。このほか、摺動可能な前記トリガーフック３１は前記未固定カラーリング７５を締めて、使用者が犬をコントロールできるようにすることができる。さらに、図９に示すように、前記トリガーフック３１は前記第２部分１４に可動的に連結して、未固定カラーリング７５ａを形成してもよく、前記トリガーフック３１は前記リード紐１０の前記第２部分１４上でＢの方向に沿って摺動し、前記未固定カラーリング７５ａのサイズを調整することができる。前記サイズ調整部材２０は、前記未固定カラーリング７５ａの最小サイズを制限するために前記トリガーフック３１の摺動を制限し、前記未固定カラーリング７５ａが犬の首を締め付けるほど小さくならないようにすることができる。さらに、図１０に示すように、使用者が前記固定カラーリング７０または前記未固定カラーリング７５、７５ａに満足できない場合、使用者は外部首輪９０を犬３００に使用し、前記トリガーフック３１を前記外部首輪９０に固定してもよい。
【００２９】
使用者が本発明の前記ペット用リード紐１を前記ペット３００に適用して前記ペット３００を散歩させるとき、図５から図７に示すように、使用者は前記連結部材３０の前記トリガーフック３１を前記締結部材６０に固定し、前記連結部材３０の前記トリガーフック３１、前記リード紐、前記締結部材６０で前記固定カラーリング７０を形成することができる。その後、使用者は前記固定カラーリング７０を前記ペット３００の首に装着し、前記リード紐１０上で前記サイズ調整部材２０の位置を調整して、前記ペット３００の首または背のサイズに合わせ、前記締結部材６０の位置を調整し、前記固定カラーリング７０が前記ペット３００の首または背に適切なサイズで装着されるようにする。さらに、図８と図９に示すように、使用者は前記連結部材３０の前記トリガーフック３１を前記第１部分１３または前記第２部分１４に可動的に連結し、最大サイズを備えた未固定カラーリング７５、または最小サイズを備えた未固定カラーリング７５ａを形成することもできる。前記トリガーフック３１と前記第１部分１３または前記第２部分１４の可動的な連結により、使用者は前記トリガーフック３１を前記第１部分１３または前記第２部分１４上で摺動させ、 前記未固定カラーリング７５、７５ａのサイズを迅速かつ簡単に調整し、前記ペットの要件および行動に合わせることができる。さらに、図１０に示すように、使用者が前記固定カラーリング７０または前記未固定カラーリング７５、７５ａに満足できない場合、使用者は外部首輪９０を犬３００に使用し、前記トリガーフック３１を前記外部首輪９０に固定してもよい。
【００３０】
本発明の前記ペット用リード紐１の設計により、前記ペット用リード紐１は、安定したサイズで固定カラーリング７０を形成する、外部首輪９０に取り付ける、最小サイズを備えた未固定カラーリング７５ａを形成する、ペットをコントロールできる未固定カラーリング７５を形成するなど、異なる機能を組み合わせて構成されている。
【００３１】
上述の実施態様は例示目的のみである。本発明は、後付の特許請求の範囲に含まれる修正または変更および同等物を含むことが意図されている。従って、本発明の範囲または要旨を逸脱せずに本発明の構造に対してさまざまな修正や変更が可能であることが当業者には明らかとなろう。
【符号の説明】
【００３２】
１        ペット用リード紐
１０      リード紐
１１      リード紐前端部
１２      リード紐後端部
１３      第１部分
１４      第２部分
２０      サイズ調整部材
３０      連結部材
３１      トリガーフック
６０      締結部材
６１      ループ
７０      固定カラーリング
７５、７５ａ    未固定カラーリング
９０      外部首輪
３００    ペット
４００    犬
５００    従来型のペット用リード紐
５１０    フックトリガー
６００    外部首輪
６１０    リング
７００    ブリティッシュスリップリードタイプのペット用リード紐
７１０    リード紐
７２０    スリップノット
７３０    首輪
８００    セミスリップリードタイプのペット用リード紐
８１０    リード紐
８２０    スリップノット
８３０    首輪
８４０    サイズ調整バックル
９００    マーチンゲールタイプのペット用リード紐
９１０    カラーベルト
９２０    サイズ調整ベルト
９３０    首輪
９４０    リード紐
【図１】
2017086075.tif 000003
【図２】
2017086075.tif 000004
【図３】
2017086075.tif 000005
【図４】
2017086075.tif 000006
【図５】
2017086075.tif 000007
【図６】
2017086075.tif 000008
【図７】
2017086075.tif 000009
【図８】
2017086075.tif 000010
【図９】
2017086075.tif 000011
【図１０】
2017086075.tif 000012